(57)【要約】【課題】マイクロプロセッサの処理時間の制限を低減する画像データ記録再生装置を得る。【解決手段】入力信号処理部１１と、入力側切替部１２と、第１フレームメモリ１３と、第２フレームメモリ１４と、出力側切替部１５と、出力信号処理部１６と、データ記録再生部１７と、各部を制御する制御部１８とからなり、制御部１８は、記録時には、各フレームメモリ１３、１４へ画像データを同時に書き込み、第１フレームメモリ１３の画像データをデータ記録再生部１７に出力すると同時に第２フレームメモリ１４の画像データを出力信号処理部１６に出力し、再生時には、第１フレームメモリ１３から画像データを出力すると同時に次の画像データを第２フレームメモリ１４に書き込み、第２フレームメモリ１４から画像データを出力すると同時にその次の画像データを第１フレームメモリ１３に書き込む。【選択図】        図１
2004180081.tif 000002
【特許請求の範囲】
【請求項１】
画像信号を処理可能に変換すると共に入力側の同期信号を出力する入力信号処理部と、
画像データを画像表示装置に出力すると共に出力側の同期信号を出力する出力信号処理部と、
１フレーム分の画像データを各々格納する第１フレームメモリおよび第２フレームメモリと、
画像データを記録および再生するデータ記録再生部と、
前記入力側の同期信号あるいは前記出力側の同期信号に基づくタイミングで、入力信号処理部の出力に対する少なくとも第１フレームメモリへの入力経路と第２フレームメモリへの入力経路を各々オン／オフ切替でき、データ記録再生部の再生出力の第１フレームメモリへの入力経路と第２フレームメモリへの入力経路を各々オン／オフ切替できる入力側切替部と、
前記入力側の同期信号あるいは前記出力側の同期信号に基づくタイミングで、入力信号処理部の出力に対する出力信号処理部への入力経路とデータ記録再生部への入力経路を各々オン／オフ切替でき、第１フレームメモリの出力に対する出力信号処理部への入力経路とデータ記録再生部への入力経路を各々オン／オフ切替でき、第２フレームメモリの出力に対する出力信号処理部への入力経路とデータ記録再生部への入力経路を各々オン／オフ切替できる出力側切替部と、
前記各部を制御する制御部を備える画像データ記録再生装置において、
画像データを記録する際に、
（ａ）前記入力側同期信号を用いて、生画像データの出力信号処理部への出力と並列処理で、前記入力側切替部を制御して、各フレームメモリへ画像データを同時に書き込むステップと、
（ｂ）前記出力側切替部を制御して、第１フレームメモリの画像データをデータ記録再生部に出力するステップと、
（ｃ）前記入力側同期信号を前記出力側同期信号に変更するステップと、
（ｄ）前記出力側切替部を制御して、生画像データの出力信号処理部への出力を止めて第２フレームメモリの画像データを出力信号処理部に出力するステップ
を有することを特徴とする画像データ記録方法。
【請求項２】
前記ステップ（ａ）の各フレームメモリへ画像データの書き込みは、同時に実施される
ことを特徴とする請求項１に記載の画像データ記録方法。
【請求項３】
前記第２フレームメモリの画像データを出力信号処理部に出力するステップ（ｄ）の後に、
（ｅ）前記出力側同期信号を前記入力側同期信号に変更するステップと、
（ｆ）前記入力側切替部を制御して各フレームメモリへ画像データを書き込むステップと、
（ｇ）前記入力側同期信号を前記出力側同期信号に変更するステップと、
（ｈ）第１フレームメモリの画像データをデータ記録再生部に出力すると共に、第２フレームメモリの画像データを出力信号処理部に出力するステップ
を１フレームの画像データ毎に繰り返す
ことを特徴とする請求項１または２に記載の画像データ記録方法。
【請求項４】
前記ステップ（ｆ）の各フレームメモリへ画像データの書き込みは、同時に実施される
ことを特徴とする請求項３に記載の画像データ記録方法。
【請求項５】
前記ステップ（ｂ）および（ｈ）では、データ記録再生部に第１フレームメモリから出力された画像データは、データ記録再生部で圧縮されて格納される
ことを特徴とする請求項３または４に記載の画像データ記録方法。
【請求項６】
画像信号を処理可能に変換すると共に入力側の同期信号を出力する入力信号処理部と、
画像データを画像表示装置に出力すると共に出力側の同期信号を出力する出力信号処理部と、
１フレーム分の画像データを各々格納する第１フレームメモリおよび第２フレームメモリと、
画像データを記録および再生するデータ記録再生部と、
前記入力側の同期信号あるいは前記出力側の同期信号に基づくタイミングで、入力信号処理部の出力に対する少なくとも第１フレームメモリへの入力経路と第２フレームメモリへの入力経路を各々オン／オフ切替でき、データ記録再生部の再生出力の第１フレームメモリへの入力経路と第２フレームメモリへの入力経路を各々オン／オフ切替できる入力側切替部と、
前記入力側の同期信号あるいは前記出力側の同期信号に基づくタイミングで、入力信号処理部の出力に対する出力信号処理部への入力経路とデータ記録再生部への入力経路を各々オン／オフ切替でき、第１フレームメモリの出力に対する出力信号処理部への入力経路とデータ記録再生部への入力経路を各々オン／オフ切替でき、第２フレームメモリの出力に対する出力信号処理部への入力経路とデータ記録再生部への入力経路を各々オン／オフ切替できる出力側切替部と、
前記各部を制御する制御部を備える画像データ記録再生装置において、
画像データを再生する際に、前記入力側同期信号または前記出力側同期信号の何れかを用いて、
（ｉ）生画像データの出力信号処理部への出力と並列処理で、前記入力側切替部を制御して、データ記録再生部から画像データを読み出して第１フレームメモリに書き込むステップと、
（ｊ）前記出力側切替部を制御して、生画像データの出力信号処理部への出力を止めて、第１フレームメモリの画像データを出力信号処理部に出力するステップと、
（ｋ）前記入力側切替部を制御して、データ記録再生部から読み出した次の画像データを第２フレームメモリに書き込むステップと、
（ｌ）前記出力側切替部を制御して、第２フレームメモリの画像データを出力信号処理部に出力するステップと、
（ｍ）前記入力側切替部を制御して、データ記録再生部から読み出したさらに次の画像データを第１フレームメモリに書き込むステップと、
（ｎ）前記出力側切替部を制御して、第１フレームメモリの画像データを出力信号処理部に出力するステップ
を有することを特徴とする画像データ再生方法。
【請求項７】
前記ステップ（ｋ）および前記ステップ（ｌ）の処理の組み合わせと、前記ステップ（ｍ）および前記ステップ（ｎ）の処理の組み合わせたを、１フレームの画像データ毎に交互に繰り返す
ことを特徴とする請求項６に記載の画像データ再生方法。
【請求項８】
前記ステップ（ｌ）と前記ステップ（ｍ）を並列処理する
ことを特徴とする請求項６または７に記載の画像データ再生方法。
【請求項９】
前記ステップ（ｎ）と前記ステップ（ｋ）を並列処理する
ことを特徴とする請求項６〜８の何れかに記載の画像データ再生方法。
【請求項１０】
前記ステップ（ｋ）および（ｍ）では、データ記録再生部から読み出された画像データは、データ記録再生部で伸張されて出力される
ことを特徴とする請求項６〜９の何れかに記載の画像データ再生方法。
【請求項１１】
前記入力側の同期信号を用いる場合、前記ステップ（ｉ）から前記ステップ（ｊ）への移行時、前記ステップ（ｋ）から前記ステップ（ｌ）への移行時、前記ステップ（ｍ）から前記ステップ（ｎ）への移行時、前記同期信号中の垂直同期信号に同期させて各移行処理を実施する
ことを特徴とする請求項６〜１０の何れかに記載の画像データ再生方法。
【請求項１２】
前記出力側の同期信号を用いる場合、前記ステップ（ｊ）の後に前記入力信号処理部の処理を停止させる
ことを特徴とする請求項６〜１０の何れかに記載の画像データ再生方法。
【請求項１３】
入力する画像信号を処理可能な画像データに変換して出力すると共に入力側の同期信号を生成して出力する入力信号処理部と、
入力する画像データを画像表示装置で表示可能な画像信号に変換して出力すると共に出力側の同期信号を生成して出力する出力信号処理部と、
入力信号処理部から出力された画像データの１フレーム分を格納する第１フレームメモリと、
入力信号処理部から出力された画像データの１フレーム分を格納する第２フレームメモリと、
第１フレームメモリおよび第２フレームメモリから出力される画像データを記録および再生するデータ記録再生部と、
前記入力側の同期信号あるいは前記出力側の同期信号に基づくタイミングで、入力信号処理部から出力された画像データを少なくとも第１フレームメモリに入力させる経路と第２フレームメモリに入力させる経路を各々オン／オフ切替できると共に、データ記録再生部から再生された画像データを第１フレームメモリに入力させる経路と第２フレームメモリに入力させる経路を各々オン／オフ切替できる入力側切替部と、
前記入力側の同期信号あるいは前記出力側の同期信号に基づくタイミングで、入力信号処理部から出力された画像データを出力信号処理部に入力させる経路とデータ記録再生部に入力させる経路を各々オン／オフ切替でき、第１フレームメモリから出力された画像データを出力信号処理部に入力させる経路とデータ記録再生部に入力させる経路を各々オン／オフ切替できると共に、第２フレームメモリから出力された画像データを出力信号処理部に入力させる経路とデータ記録再生部に入力させる経路を各々オン／オフ切替できる出力側切替部と、
前記各部を制御することにより、画像データを記録する際には、
前記入力側同期信号を用いて、生画像データの出力信号処理部への出力と並列処理で各フレームメモリへ画像データを同時に書き込み、第１フレームメモリの画像データをデータ記録再生部に出力したら、出力側同期信号を用いて、生画像データの出力信号処理部への出力を止めて第２フレームメモリの画像データを出力信号処理部に出力し、
画像データを再生する際には、
前記入力側の同期信号あるいは前記出力側の同期信号を用いて、データ記録再生部から出力された画像データを第１フレームメモリに書き込み、第１フレームメモリからの出力信号処理部への出力と同時にデータ記録再生部から出力された次の画像データを第２フレームメモリに書き込む第１の並列処理と、第２フレームメモリからの出力信号処理部への出力と同時にデータ記録再生部から出力されたその次の画像データを第１フレームメモリに書き込む第２の並列処理を前記各部に実施させる制御部
を備えることを特徴とする画像データ記録再生装置。
【請求項１４】
前記制御部は、画像データを記録する際に、最初の１フレームの画像データを第２フレームメモリから出力した後に、前記各フレームメモリへの画像データの同時書き込みと、前記各フレームメモリからの画像データの出力を１フレームの画像データ毎に繰り返す
ことを特徴とする請求項１３に記載の画像データ記録再生装置。
【請求項１５】
前記制御部は、画像データを再生する際に、前記第１および第２の各並列処理を１フレームの画像データ毎に交互に繰り返す
ことを特徴とする請求項１３または１４に記載の画像データ記録再生装置。
【請求項１６】
前記制御部は、画像データを再生する際に、前記入力側の同期信号を用いる場合、該同期信号中の垂直同期信号に同期させて、最初の第１の並列処理への移行処理、および、前記第１および第２の各並列処理を１フレームの画像データ毎に交互に繰り返す際の各移行処理を実施する
ことを特徴とする請求項１３〜１５の何れかに記載の画像データ記録再生装置。
【請求項１７】
前記データ記録再生部は、画像データを記録する際に該データを圧縮するデータ圧縮回路と、
画像データを再生する際に該データを伸張するデータ伸張回路
を備えることを特徴とする請求項１３〜１６の何れかに記載の画像データ記録再生装置。
【請求項１８】
前記制御部は、画像データを再生する際に、前記出力側の同期信号を用いる場合、前記入力信号処理部の処理を停止させる
ことを特徴とする請求項１３〜１７の何れかに記載の画像データ記録再生装置。
【請求項１９】
前記入力側切替部は、
入力信号処理部から出力された画像データを第１フレームメモリに入力させる経路と第２フレームメモリに入力させる経路に加えて、出力側切替部に入力させる経路を各々オン／オフ切替できる
ことを特徴とする請求項１３〜１８の何れかに記載の画像データ記録再生装置。
【発明の詳細な説明】
【０００１】
【発明の属する技術分野】
この発明は、カメラ等で撮影された画像信号をデジタル方式の画像データで記録し、陰極線管等の画像表示装置で画像信号を表示させるために再生した画像信号を出力する画像データ記録再生装置に関し、更に詳しくは、画像データ記録再生装置における、マイクロプロセッサ等の制御手段の負荷を低減でき、記録時間あるいは再生時間を短縮でき、生画像とモニタ画像あるいは再生画像との切替時の切替時間を短縮できる回路の改良に関する。
【０００２】
【従来の技術】
従来の画像データ記録再生装置としては、例えば、デジタルカメラに用いられ、撮影した被写体の光学像に対応する画像データに圧縮処理を施す圧縮手段と、圧縮手段から出力された画像データを記録する記録媒体と、圧縮手段から出力された画像データに伸張処理を施す伸張手段と、伸張手段から出力された画像データを画像表示する表示手段と、記録状態では圧縮手段から出力された画像データを伸張手段に導き、再生状態では記録媒体から読み出された画像データを伸張手段に導くように切り替える切替手段を備え、撮影時に実際に圧縮伸張処理を施した画像データを認識できる画像データ記録再生装置が知られている（例えば、特許文献１参照）。
【０００３】
また、画像データ入力ポートと画像データ出力ポートとの間に並列配置されかつそれぞれ少なくともビデオ信号１フィールド分の記憶容量を有する２個の単一ポートＲＡＭと、画像データ入力ポートを２個の単一ポートＲＡＭのそれぞれへと択一的に接続可能な入力側切替回路と、画像データ出力ポートを２個の単一ポートＲＡＭのポートのそれぞれへと択一的に接続可能な出力側切替回路と、２個の単一ポートＲＡＭのそれぞれにおいて画像データ入力ポートからのデータ書き込み動作と画像データ出力ポートへのデータ読み出し動作とが驕傲な区交互に行われるように入力側切替回路と出力側切替回路とを制御する強調回路とを具備することで、デュアルポートメモリと略同等の機能を有するようにした画像データ記憶装置が知られている（例えば、特許文献２参照）。
【０００４】
また、複数の映像出力部からの入力を切り替える際に、タイミング変更部で切替先の映像出力部が出力する同期信号を切替元の映像出力部が出力する同期信号に同期させ、映像信号選択部で切替先の映像出力を選択して出力し、同期信号選択部で切替先の同期信号を選択して出力する映像出力装置が知られている（例えば、特許文献３参照）。
【０００５】
【特許文献１】
特開平１１−２０５７４３号公報（要約、図１等）
【特許文献２】
特開平８−３２９２３２号公報（要約、図１等）
【特許文献３】
特開２００１−３１２２６３号公報（要約、図１等）
【０００６】
【発明が解決しようとする課題】
ところで、上記したような画像データ記録再生装置における画像の記録方法としては、例えば、カメラ等から出力された動画像信号をフレームごとにデジタル形式の画像データに変換し、その画像データを、一旦、フレームメモリに蓄積し、ＪＰＥＧなどの圧縮処理を実施することで記憶容量を低減させてからテープやディスク等の記録媒体に記録する処理が実施されている。
また、圧縮された画像データを記録媒体から読み出して表示させるには、伸張処理により元の圧縮前の状態に復元した画像データを、一旦、フレームメモリに蓄積し、フレームメモリの画像データを変換して出力することで、モニタ等の画像表示装置に画像を表示させている。
【０００７】
上記した画像データの圧縮処理および伸張処理は、複雑な処理であることから、従来はマイクロプロセッサとは別途に専用の演算処理装置が用いられていたが、近年のマイクロプロセッサの処理速度の向上により、一部のマイクロプロセッサでは、そのマイクロプロセッサ上で動作するプログラムで画像データの圧縮処理および伸張処理を実施しても、実用上問題ない程度の性能を有しているものが知られるようになった。
【０００８】
上記したように画像データの圧縮処理および伸張処理時にはフレームメモリが用いられ、画像データをフレームメモリに書き込む場合や、フレームメモリから画像データを読み出す場合には、画像データが画像表示装置に表示される場合に悪影響を与えないように、例えば、垂直帰線消去区間中にアクセスし、かつ、その画像データに同期させる必要がある。
【０００９】
しかし、マイクロプロセッサがフレームメモリにアクセスできる期間を垂直帰線消去区間内に制限した場合には、マイクロプロセッサの処理時間が制限されるため、結果的に処理速度が低下するという問題があった。
【００１０】
また、マイクロプロセッサが垂直帰線消去区間内にフレームメモリへの書き込みを終了できなかった場合には、画像表示装置に表示される画像が正常に表示されなくなるという問題があった。
【００１１】
この発明は、上記した課題を解決するためになされたもので、第１の目的は、マイクロプロセッサの処理時間の制限を低減する画像データ記録再生装置を得るものである。
【００１２】
また、第２の目的は、マイクロプロセッサの処理速度を低下させずに、画像データを記録する時に、そのモニタ画像を確認することができる画像データ記録再生装置を得るものである。
【００１３】
また、第３の目的は、マイクロプロセッサの処理速度を低下させずに、画像データを再生できる画像データ記録再生装置を得るものである。
【００１４】
また、第４の目的は、入力する生画像データから、記録開始時あるいは再生開始時にフレームメモリに一旦格納される画像データへ出力データを切替る時に、画像表示装置に表示される画像が乱れることを防いだ画像データ記録再生装置を得るものである。
【００１５】
また、第５の目的は、画像データを再生する時に、消費電力を低減できる画像データ記録再生装置を得るものである。
【００１６】
【課題を解決するための手段】
この発明に係る画像データ記録方法においては、画像信号を処理可能に変換すると共に入力側の同期信号を出力する入力信号処理部と、画像データを画像表示装置に出力すると共に出力側の同期信号を出力する出力信号処理部と、１フレーム分の画像データを各々格納する第１フレームメモリおよび第２フレームメモリと、画像データを記録および再生するデータ記録再生部と、入力側の同期信号あるいは出力側の同期信号に基づくタイミングで、入力信号処理部の出力に対する少なくとも第１フレームメモリへの入力経路と第２フレームメモリへの入力経路を各々オン／オフ切替でき、データ記録再生部の再生出力の第１フレームメモリへの入力経路と第２フレームメモリへの入力経路を各々オン／オフ切替できる入力側切替部と、入力側の同期信号あるいは出力側の同期信号に基づくタイミングで、入力信号処理部の出力に対する出力信号処理部への入力経路とデータ記録再生部への入力経路を各々オン／オフ切替でき、第１フレームメモリの出力に対する出力信号処理部への入力経路とデータ記録再生部への入力経路を各々オン／オフ切替でき、第２フレームメモリの出力に対する出力信号処理部への入力経路とデータ記録再生部への入力経路を各々オン／オフ切替できる出力側切替部と、各部を制御する制御部を備える画像データ記録再生装置において、画像データを記録する際に、
（ａ）入力側同期信号を用いて、生画像データの出力信号処理部への出力と並列処理で、入力側切替部を制御して、各フレームメモリへ画像データを同時に書き込むステップと、
（ｂ）出力側切替部を制御して、第１フレームメモリの画像データをデータ記録再生部に出力するステップと、
（ｃ）入力側同期信号を出力側同期信号に変更するステップと、
（ｄ）出力側切替部を制御して、生画像データの出力信号処理部への出力を止めて第２フレームメモリの画像データを出力信号処理部に出力するステップを有する。
【００１７】
また、この発明に係る画像データ再生方法においては、画像信号を処理可能に変換すると共に入力側の同期信号を出力する入力信号処理部と、画像データを画像表示装置に出力すると共に出力側の同期信号を出力する出力信号処理部と、１フレーム分の画像データを各々格納する第１フレームメモリおよび第２フレームメモリと、画像データを記録および再生するデータ記録再生部と、入力側の同期信号あるいは出力側の同期信号に基づくタイミングで、入力信号処理部の出力に対する少なくとも第１フレームメモリへの入力経路と第２フレームメモリへの入力経路を各々オン／オフ切替でき、データ記録再生部の再生出力の第１フレームメモリへの入力経路と第２フレームメモリへの入力経路を各々オン／オフ切替できる入力側切替部と、入力側の同期信号あるいは出力側の同期信号に基づくタイミングで、入力信号処理部の出力に対する出力信号処理部への入力経路とデータ記録再生部への入力経路を各々オン／オフ切替でき、第１フレームメモリの出力に対する出力信号処理部への入力経路とデータ記録再生部への入力経路を各々オン／オフ切替でき、第２フレームメモリの出力に対する出力信号処理部への入力経路とデータ記録再生部への入力経路を各々オン／オフ切替できる出力側切替部と、各部を制御する制御部を備える画像データ記録再生装置において、画像データを再生する際に、入力側同期信号または出力側同期信号の何れかを用いて、
（ｉ）生画像データの出力信号処理部への出力と並列処理で、入力側切替部を制御して、データ記録再生部から画像データを読み出して第１フレームメモリに書き込むステップと、
（ｊ）出力側切替部を制御して、生画像データの出力信号処理部への出力を止めて、第１フレームメモリの画像データを出力信号処理部に出力するステップと、
（ｋ）入力側切替部を制御して、データ記録再生部から読み出した次の画像データを第２フレームメモリに書き込むステップと、
（ｌ）出力側切替部を制御して、第２フレームメモリの画像データを出力信号処理部に出力するステップと、
（ｍ）入力側切替部を制御して、データ記録再生部から読み出したさらに次の画像データを第１フレームメモリに書き込むステップと、
（ｎ）出力側切替部を制御して、第１フレームメモリの画像データを出力信号処理部に出力するステップを有する。
【００１８】
また、この発明に係る画像データ記録再生装置においては、入力する画像信号を処理可能な画像データに変換して出力すると共に入力側の同期信号を生成して出力する入力信号処理部と、
入力する画像データを画像表示装置で表示可能な画像信号に変換して出力すると共に出力側の同期信号を生成して出力する出力信号処理部と、
入力信号処理部から出力された画像データの１フレーム分を格納する第１フレームメモリと、
入力信号処理部から出力された画像データの１フレーム分を格納する第２フレームメモリと、
第１フレームメモリおよび第２フレームメモリから出力される画像データを記録および再生するデータ記録再生部と、
入力側の同期信号あるいは出力側の同期信号に基づくタイミングで、入力信号処理部から出力された画像データを少なくとも第１フレームメモリに入力させる経路と第２フレームメモリに入力させる経路を各々オン／オフ切替できると共に、データ記録再生部から再生された画像データを第１フレームメモリに入力させる経路と第２フレームメモリに入力させる経路を各々オン／オフ切替できる入力側切替部と、
入力側の同期信号あるいは出力側の同期信号に基づくタイミングで、入力信号処理部から出力された画像データを出力信号処理部に入力させる経路とデータ記録再生部に入力させる経路を各々オン／オフ切替でき、第１フレームメモリから出力された画像データを出力信号処理部に入力させる経路とデータ記録再生部に入力させる経路を各々オン／オフ切替できると共に、第２フレームメモリから出力された画像データを出力信号処理部に入力させる経路とデータ記録再生部に入力させる経路を各々オン／オフ切替できる出力側切替部と、
各部を制御することにより、画像データを記録する際には、入力側同期信号を用いて、生画像データの出力信号処理部への出力と並列処理で各フレームメモリへ画像データを同時に書き込み、第１フレームメモリの画像データをデータ記録再生部に出力したら、出力側同期信号を用いて、生画像データの出力信号処理部への出力を止めて第２フレームメモリの画像データを出力信号処理部に出力し、画像データを再生する際には、入力側の同期信号あるいは出力側の同期信号を用いて、データ記録再生部から出力された画像データを第１フレームメモリに書き込み、第１フレームメモリからの出力信号処理部への出力と同時にデータ記録再生部から出力された次の画像データを第２フレームメモリに書き込む第１の並列処理と、第２フレームメモリからの出力信号処理部への出力と同時にデータ記録再生部から出力されたその次の画像データを第１フレームメモリに書き込む第２の並列処理を前記各部に実施させる制御部を備える。
【００１９】
【発明の実施の形態】
以下、本発明を図示した実施形態に基づいて詳細に説明する。
【００２０】
実施の形態１．
図１はこの発明の実施の形態１における画像データ記録再生装置の構成図である。
【００２１】
図１において、画像信号出力装置１は、例えば、被写体を撮影した撮像データをデジタル形式の画像信号として出力するビデオカメラ、静止画カメラであり、あるいは、デジタル放送を受信してその画像信号を出力するチューナである。
【００２２】
画像記録再生装置２は、例えば、入力するデジタル形式の画像信号を記録し、使用者に都合の良い任意の時間に再生できるテープレコーダ、ディスクレコーダ、あるいは、半導体メモリレコーダ等であり、記録しない場合には入力する画像信号を生出力でき、記録する場合には、記録画像をモニタ出力することができる。
【００２３】
画像表示装置３は、例えば、陰極線管（ＣＲＴ）、あるいは、液晶表示パネル等を用いて画像を表示するディスプレイ装置であり、入力する画像信号を再生して表示画面上に画像を表示させるものである。
【００２４】
画像記録再生装置２の内部では、入力信号処理部１１は、画像信号出力装置１から入力した画像信号から入力側の同期信号を生成して出力する入力側同期信号生成回路２１と共に、入力した画像信号を、画像記録再生装置２の内部で処理可能な信号、例えば、記録可能な形式の画像データに変換して出力する入力信号変換回路２２を有している。
【００２５】
入力側切替部１２は、入力側の同期信号あるいは出力側の同期信号に同期して入出力経路の切替（オン／オフ）を行うものであり、入力は２入力以上であり、出力も２出力以上であり、任意の１入力から複数出力が可能になっている。本実施の形態の図１では複数出力可能な２入力（ａ、ｂ）２出力（ｐ、ｑ）の場合を示しているが、生画像データの出力を含めて３入力３出力のものを用いても良い。
【００２６】
第１フレームメモリ１３および第２フレームメモリ１４は、高速にデータ書き込みと読み出しが可能な半導体メモリ等により構成され、例えば、１フレーム分の画像データを一時的に格納するＦＩＦＯ（Ｆｉｒｓｔ  Ｉｎ  Ｆｉｒｓｔ  Ｏｕｔ）メモリ等の記憶手段である。
【００２７】
出力側切替部１５は、入力側の同期信号あるいは出力側の同期信号に同期して入出力経路の切替（オン／オフ）を行うものであり、入力は３入力（ｃ、ｄ、ｅ）であり、出力が２出力（ｒ、ｓ）であり、任意の１入力から複数出力が可能になっている。
【００２８】
出力信号処理部１６は、出力する画像信号から出力側の同期信号を生成して出力する出力側同期信号生成回路３１と共に、出力する画像信号を、画像表示装置３で表示可能な信号に変換して出力する出力信号変換回路３２を有している。
【００２９】
データ記録再生部１７は、出力側切替部１５から入力する画像データの容量を圧縮するデータ圧縮回路４１と、ハード・ディスク・ドライブ装置あるいはメモリ・カード等により構成されて圧縮された画像データを格納するデータ記憶回路４２と、データ記憶回路４２から読み出された画像データを伸張して元のデータ容量にするデータ伸張回路４３を有している。
【００３０】
制御部１８は、マイクロプロセッサ等のＣＰＵ（中央演算処理装置）を有して、上記各部を制御することにより、生画像データを記録して再生画像データを出力するものである。
【００３１】
入力側切替部１２の２入力（ａ、ｂ）の内、一方の入力ａは入力信号処理部１１の出力に接続されて生画像データが入力され、他方の入力ｂはデータ記録再生部１７の出力に接続されて再生画像データが入力される。また、入力側切替部１２の２出力（ｐ、ｑ）の内、一方の出力ｐは第１フレームメモリ１３に接続されて生画像データあるいは再生画像データが出力され、他方の出力ｑは第２フレームメモリ１４に接続されて生画像データあるいは再生画像データが出力される。
【００３２】
出力側切替部１５の３入力（ｃ、ｄ、ｅ）の内、一つ目の入力ｃは入力信号処理部１１の出力に接続されて生画像データが入力され、二つ目の入力ｄは第１フレームメモリ１３に接続されて一時記録された生画像データあるいは再生画像データが入力され、三つ目の入力ｅは第２フレームメモリ１４に接続されて一時記録された生画像データあるいは再生画像データが入力される。また、出力側切替部１５の２出力（ｒ、ｓ）の内、一方の出力ｒは出力信号処理部１６に接続されて生画像データあるいは再生画像データが出力され、他方の出力ｓはデータ記録再生部１７に接続されて生画像データが出力される。
【００３３】
次に、本実施の形態の画像記録再生装置の動作について、図を用いて説明する。
図２は、図１の画像記録再生装置の画像データ記録時の動作を示すフローチャートである。
【００３４】
まず、画像データの記録を開始する前は、初期状態である（Ｓ１）。画像記録再生装置２の記録時の初期状態を図３に示す。図３は、図１に示した各信号経路ａ１、ａ２、ｂ１、ｂ２、ｃ１、ｃ２、ｄ１、ｄ２、ｅ１、ｅ２の内、オン状態になっているものを太線で示し、オフ状態のものは通常の太さの線で示している。図３では、入力側切替部１２の全ての経路ａ１、ａ２、ｂ１、ｂ２はオフ状態になっており、出力側切替部１６では、経路ｃ１のみがオン状態であるが他の経路ｃ２、ｄ１、ｄ２、ｅ１、ｅ２はオフ状態である。
【００３５】
次に、使用者により、図に表示されない入力手段等を用いて生画像の記録（録画）が指示された場合について説明する。この時点の画像記録再生装置２の状態を図４に示す。図４でも、図１に示した各信号経路の内、オン状態になっているものを太線で示し、オフ状態のものは通常の太さの線で示している。図４では、入力側切替部１２の経路ａ１、ａ２のみがオン状態で、ｂ１、ｂ２はオフ状態であり、出力側切替部１６では、経路ｃ１とｄ２のみがオン状態であり、経路ｃ２、ｄ１、ｅ１、ｅ２はオフ状態である。
【００３６】
まず、制御部１８は、入力側の同期信号を用いて、入力側切替部１２の経路ａ１およびａ２をオン状態にする（Ｓ２）。この時点では、出力側切替部１５の経路ｃ１はオン状態であるので生画像データは画像表示装置３に出力され続けている。従って、第１フレームメモリ１３と第２フレームメモリ１４には、入力側同期信号が用いられて、生画像データの出力信号処理部１６への出力と並列処理で、入力側切替部１１を制御することで、各フレームメモリ１３、１４に１画面（１フレーム）分の生画像データが同時に書き込まれ、書き込み終了時には、入力切替部１２から制御部１８に書き込み終了信号が送信される（Ｓ３）。
【００３７】
この間、出力側切替部１５は、入力信号処理部１１から入力する画像データを画像出力処理部１６へ送信し続けているので、画像表示装置３では、画像出力装置１から入力される映像の生画像データがリアルタイムで表示されることになる。
【００３８】
そして、制御部１８は、出力側切替部１５の経路ｄ２をオンするように制御して（Ｓ４）、第１フレームメモリ１３の画像データをデータ記録再生部１７に出力する（Ｓ５）。また、データ記録再生部１７では、制御部１８の制御により、第１フレームメモリ１３から出力された画像データをデータ圧縮回路４１で圧縮してデータ記録回路４２に格納する（Ｓ６）。
【００３９】
ここで、制御部１８は、入力側切替部１２と出力側切替部１５に供給される入力側同期信号をオフ状態にし、出力側同期信号をオン状態に変更する（Ｓ７）。さらに、制御部１８は、出力側切替部１５の経路ｃ１をオフ状態にすると共に、経路ｅ１がオン状態になるように制御して（Ｓ８）、生画像データの出力信号処理部１６への出力を止め、第２フレームメモリ１４の画像データを出力信号処理部１６に出力する（Ｓ９）。
【００４０】
この時点の画像記録再生装置２の状態を図５に示す。図５でも、図１に示した各信号経路の内、オン状態になっているものを太線で示し、オフ状態のものは通常の太さの線で示している。図５では、同期信号が出力側同期信号に切り替えられており、入力側切替部１２の経路ａ１、ａ２のみがオン状態で、ｂ１、ｂ２はオフ状態であり、出力側切替部１６では、経路ｄ２とｅ１のみがオン状態であり、経路ｃ１、ｃ２、ｄ１、ｅ２はオフ状態である。
【００４１】
ステップＳ８では、出力側切替部１５における、画像表示装置３への生画像データの経路ｃ１がオフされると同時に、第２フレームメモリ１４からのモニター画像データの経路ｅ１がオンされるので、生画像から記録開始時のモニタ画像への切替による画像表示装置３における画像の乱れを最小にすることができる。
【００４２】
出力画像がモニタ画像に切り替わったら、第１フレームメモリ１３の画像データと、第２フレームメモリ１４の画像データを更新する処理を行ために、まず、入力側切替部１２と出力側切替部１５に供給される出力側同期信号を入力側同期信号に変更し（Ｓ１０）、ステップＳ３と同様に、入力側切替部１１を制御することで、各フレームメモリ１３、１４に１画面（１フレーム）分の生画像データが同時に書き込まれ、書き込み終了時には、入力切替部１２から制御部１８に書き込み終了信号が送信される（Ｓ１１）。
【００４３】
但し、この場合には、出力側切替部１５は、入力信号処理部１１から入力する画像データを画像出力処理部１６へ送信しないので、画像表示装置３では、画像出力装置１から入力される映像の生画像データではなく、第２フレームメモリ１４からのモニター画像データが表示されることになる。
【００４４】
次に、ステップＳ７と同様に、制御部１８は、入力側切替部１２と出力側切替部１５に供給される入力側同期信号をオフ状態にし、出力側同期信号をオン状態に変更する（Ｓ１２）。また、ステップＳ５と同様に、第１フレームメモリ１３の画像データをデータ記録再生部１７に出力すると共に、並列処理で、ステップＳ９と同様に、第２フレームメモリ１４の画像データを出力信号処理部１６に出力する（Ｓ１３）。また、ステップＳ６と同様に、データ記録再生部１７では、制御部１８の制御により、第１フレームメモリ１３から出力された画像データをデータ圧縮回路４１で圧縮してデータ記録回路４２に格納する。
【００４５】
そして、ステップＳ１０からステップＳ１３までの処理を、画像信号出力装置１から入力する１フレームの画像データ毎に繰り返し処理を行う（Ｓ１４）。
【００４６】
このように、本実施の形態では、マイクロプロセッサに制御されて画像データをフレームメモリに入力させる処理および出力させる処理に関係する部分が排他的な構成となっているため、記録時のマイクロプロセッサの処理において、一方のフレームメモリの画像データを処理するために、他方のフレームメモリの画像データの処理が制限されることが無くなり、効率よく処理を行うことができる。また、このことから、記録時のマイクロプロセッサ等の処理時間を低減させることができるので、記録時の消費電力を低減させることができる。
【００４７】
また、本実施の形態では、記録時に入力される画像データを同時に複数のフレームメモリに転送することができ、ひとつのフレームメモリから、モニタ表示用の画像データを取り出し、同時に別のフレームメモリから、記録用のデータを取り出す並列処理が可能になり、マイクロプロセッサの処理速度を低減させることなく、画像データを記録すると共に記録モニタ画像データを画像表示装置に表示させることができる。
【００４８】
実施の形態２．
上記した実施の形態１では、図１に示した画像記録再生装置の記録時における、制御部１８の処理時間の制限を低減し、処理速度を低下させずに画像データ記録時のモニタ画像を確認でき、生画像データから記録モニタ画像データへの出力画像の切替時に、画像表示装置に表示される画像が乱れることを防ぐことができることを示した。しかし、図１に示した画像記録再生装置の構成では、画像データの再生時においても、マイクロプロセッサの処理速度を低下させずに画像データを再生でき、入力する生画像データから再生画像データへの記録開始時の出力画像の切替時に、画像表示装置に表示される画像が乱れることを防ぐことができ、さらに、消費電力を低減できる。以下に、図１の構成で入力側同期信号を用いて再生する場合の実施の形態２について説明する。
【００４９】
図６は、図１の画像記録再生装置の画像データ再生時の動作を示すフローチャートである。
【００５０】
まず、画像データの再生を開始する前は、実施の形態１と同様に初期状態であり、ここで、使用者により、図に表示されない入力手段等を用いて録画されていた画像データの再生が指示された場合について説明する。
【００５１】
画像記録再生装置２の再生時で初期状態から再生が指示された最初の状態を図７に示す。図７は、図１に示した各信号経路ａ１、ａ２、ｂ１、ｂ２、ｃ１、ｃ２、ｄ１、ｄ２、ｅ１、ｅ２の内、オン状態になっているものを太線で示し、オフ状態のものは通常の太さの線で示している。
【００５２】
図７の再生時には、制御部１８は、入力側の同期信号を用いて、入力側切替部１２の経路ｂ２のみをオン状態にし（Ｓ２２）、データ記憶再生部１７のデータ記録回路４２から画像データを読み出し、データ伸張回路４３で伸張して入力側切替部１２の一方の入力ｂ側に出力する（Ｓ２３）。この時点では、出力側切替部１５の経路ｃ１はオン状態であるので生画像データは画像表示装置３に出力され続けている。つまり、図７では、制御部１８により、生画像データの出力信号処理部１６への出力と並列処理で、入力側切替部１２を制御して、データ記録再生部１７から画像データを読み出して第１フレームメモリ１３に書き込みまれ、書き込み終了時には、入力切替部１２から制御部１８に書き込み終了信号が送信される（Ｓ２４）。
【００５３】
この間、出力側切替部１５は、入力信号処理部１１から入力する画像データを画像出力処理部１６へ送信し続けているので、画像表示装置３では、画像出力装置１から入力される映像の生画像データがリアルタイムで表示されることになる。
【００５４】
次の時点の画像記録再生装置２の状態を図８に示す。図８でも、図１に示した各信号経路の内、オン状態になっているものを太線で示し、オフ状態のものは通常の太さの線で示している。図８では、入力側切替部１２の経路ｂ１のみがオン状態で、ａ１、ａ２、ｂ２はオフ状態であり、出力側切替部１６では、経路ｄ１のみがオン状態であり、経路ｃ１、ｃ２、ｄ２、ｅ１、ｅ２はオフ状態である。
【００５５】
制御部１８は、第１フレームメモリ１３への書き込みが終了したら、出力側切替部１５の経路ｃ１をオフ状態にすると共に経路ｄ１をオン状態にするように制御して（Ｓ２５）、生画像データの出力信号処理部１６への出力を止めて、第１フレームメモリ１３の画像データを出力信号処理部１６に出力する（Ｓ２６）。
【００５６】
また、本実施の形態では、入力側同期信号を用いているので、第１フレームメモリ１３への画像データの書き込み状態から、第１フレームメモリ１３の画像データを出力信号処理部１６に出力する状態に移行する際には、画像表示装置３の画像が乱れないようにするため、入力側同期信号中の垂直同期信号に同期させて移行処理を実施する。
【００５７】
また、制御部１８は、入力側切替部１２の経路ｂ２をオフ状態にすると共に経路ｂ１をオン状態にするように制御して（Ｓ２７）、データ記憶再生部１７のデータ記録回路４２から次の画像データを読み出し、データ伸張回路４３で伸張して入力側切替部１２の一方の入力ｂ側に出力し（Ｓ２８）、その画像データを第２フレームメモリ１４に書き込む（Ｓ２９）。また、書き込み終了時には、入力切替部１２から制御部１８に書き込み終了信号が送信される。
【００５８】
ここでは、ステップＳ２６の第１フレームメモリ１３から出力側切替部１５に画像データが出力されている間に、並列処理で、ステップＳ２７〜Ｓ２９の第２フレームメモリ１４への次の画像データが書き込まれることになる。
【００５９】
さらに次の時点の画像記録再生装置２の状態を図９に示す。図９でも、図１に示した各信号経路の内、オン状態になっているものを太線で示し、オフ状態のものは通常の太さの線で示している。図９では、入力側切替部１２の経路ｂ２のみがオン状態で、ａ１、ａ２、ｂ１はオフ状態であり、出力側切替部１６では、経路ｅ１のみがオン状態であり、経路ｃ１、ｃ２、ｄ１、ｄ２、ｅ２はオフ状態である。
【００６０】
制御部１８は、第２フレームメモリ１４への書き込みが終了したら、出力側切替部１５の経路ｄ１をオフ状態にすると共に経路ｅ１をオン状態にするように制御して（Ｓ３０）、第１フレームメモリ１３の画像データの出力信号処理部１６への出力を止めて、第２フレームメモリ１４の画像データを出力信号処理部１６に出力する（Ｓ３１）。
【００６１】
この場合も、入力側同期信号を用いているので、第２フレームメモリ１４への画像データの書き込み状態から、第２フレームメモリ１４の画像データを出力信号処理部１６に出力する状態に移行する際には、画像表示装置３の画像が乱れないようにするため、入力側同期信号中の垂直同期信号に同期させて移行処理を実施する。
【００６２】
さらに、制御部１８は、入力側切替部１２の経路ｂ１をオフ状態にすると共に経路ｂ２をオン状態にするように制御して（Ｓ３２）、データ記憶再生部１７のデータ記録回路４２からさらに次の画像データを読み出し、データ伸張回路４３で伸張して入力側切替部１２の一方の入力ｂ側に出力し（Ｓ３３）、その画像データを第１フレームメモリ１３に書き込む（Ｓ３４）。また、書き込み終了時には、入力切替部１２から制御部１８に書き込み終了信号が送信される。
【００６３】
制御部１８は、第１フレームメモリ１３への書き込みが終了したら、出力側切替部１５の経路ｅ１をオフ状態にすると共に経路ｄ１をオン状態にするように制御して（Ｓ３５）、第２フレームメモリ１４の画像データの出力信号処理部１６への出力を止めて、第１フレームメモリ１３の画像データを出力信号処理部１６に出力する（Ｓ３５）。
【００６４】
この場合も、入力側同期信号を用いているので、第１フレームメモリ１３への画像データの書き込み状態から、第１フレームメモリ１３の画像データを出力信号処理部１６に出力する状態に移行する際には、画像表示装置３の画像が乱れないようにするため、入力側同期信号中の垂直同期信号に同期させて移行処理を実施する。
【００６５】
ここでは、ステップＳ３１の第２フレームメモリ１４から出力側切替部１５に画像データが出力されている間に、並列処理で、ステップＳ３２〜Ｓ３４の第１フレームメモリ１３へのさらに次の画像データが書き込まれることになる。
【００６６】
そして、ステップＳ２７からステップＳ３１までの処理（Ｂ）と、ステップＳ３２からステップＳ３５およびステップＳ２６の処理（Ａ）とを、データ記録再生部１７で再生される１フレームの画像データ毎に交互に繰り返し処理を行う（Ｓ３６）。これにより、データ記録再生部１７から再生された画像データを連続して再生することが可能になる。
【００６７】
このように、本実施の形態では、マイクロプロセッサに制御されて画像データをフレームメモリに入力させる処理および出力させる処理に関係する部分が排他的な構成となっているため、再生時のマイクロプロセッサの処理において、一方のフレームメモリにデータ記録再生部から画像データを読み出して書き込んでいる状態で、他方のフレームメモリ上の画像データを画像表示装置に表示させる並列処理が可能になり、一方のフレームメモリの画像データを処理するために、他方のフレームメモリの画像データの処理が制限されることが無くなり、効率よく処理を行うことができる。また、このことから、再生時のマイクロプロセッサ等の処理時間を低減させることができるので、再生時の消費電力を低減させることができる。
【００６８】
また、本実施の形態では、一方のフレームメモリにデータ記録再生部から画像データを読み出して書き込んでいる状態で、他方のフレームメモリ上の画像データを画像表示装置に表示させる並列処理が可能になるため、再生させる画像データの処理によりマイクロプロセッサの処理速度を低減させることなく、再生画像を表示することができる。
【００６９】
また、本実施の形態では、画像データを画像表示装置に表示させる場合に、一方のフレームメモリの画像データと、他方のフレームメモリの画像データに対して、マイクロプロセッサが各画像データ毎に垂直帰線消去区間内にアクセスして同期させることができるので、フレームメモリへの書き込み時間が不足により、画像表示装置に画像が正常に表示されなくなる事態を減少させることができる。
【００７０】
実施の形態３．
上記した実施の形態２では、入力側同期信号を用いて、データ記録再生装置１７から出力する画像データ毎に交互に第１フレームメモリ１３と第２フレームメモリ１４に書き込み、その書き込みと同じタイミングで、書き込みが実施されていないフレームメモリから画像データを出力信号処理部１６に出力する処理を繰り返すことで、連続再生ができるようにしていたが、その際に、各フレームメモリにおける画像データの書き込み状態から出力状態に移行する際には、画像表示装置３の画像が乱れないようにするため、入力側同期信号中の垂直同期信号に同期させて移行処理を実施していた。しかし、本発明の画像記録再生装置の再生時には、出力側同期信号を用いることができる。以下に、図１の構成で出力側同期信号を用いて再生する場合の実施の形態２について説明する。
【００７１】
実施の形態３では、実施の形態２の各図における入力側同期信号が出力側同期信号に変わるのみである。代表例として、実施の形態２の図９の時点における本実施の形態の画像記録再生装置２の状態を図１０に示す。図１０でも、図１に示した各信号経路の内、オン状態になっているものを太線で示し、オフ状態のものは通常の太さの線で示し、入力側切替部１２の経路ｂ２のみがオン状態で、ａ１、ａ２、ｂ１はオフ状態であり、出力側切替部１６では、経路ｅ１のみがオン状態であり、経路ｃ１、ｃ２、ｄ１、ｄ２、ｅ２はオフ状態である。
【００７２】
従って、本実施の形態の再生時の動作としては、実施の形態２の図６のフローチャートと同様にして画像の連続再生を実施することができるが、ステップＳ２５で出力側切替部１５の経路ｃ１をオフした場合、入力信号処理部１１からは、画像データも入力側同期信号も出力する必要が無くなるので、入力信号処理部１１における処理が不要になる。従って、本実施の形態では、例えば、給電を停止させることで、入力信号処理部１１の処理を停止させることができる。
【００７３】
このように本実施の形態では、実施の形態２と同様な効果が得られることに加えて、再生時に画像入力処理部の出力が使用されなくなる時点から、画像入力処理部への給電を停止させて使用しないようにできるため、実施の形態２よりもさらに画像記録再生装置の消費電力を低減させることができる。
【００７４】
実施の形態４．
上記した各実施の形態では、入力信号処理部１１から出力される画像データを、入力側切替部１２の入力ａと、出力側切替部１５の入力ｃに分岐させて入力させることで、２入力２出力の入力側切替部１２を用いていた。しかし、実施の形態１にも記載したように、本発明の入力側切替部としては、生画像データの出力を含めて３入力３出力のものを用いても良い。以下に、入力側切替部を３入力３出力のものにした場合の実施の形態４について説明する。
【００７５】
図１１はこの発明の実施の形態４における画像データ記録再生装置の構成図である。
図１１が、実施の形態１の図１と相違する点は、入力側切替部１９が変更されている点および、その変更により入力信号処理部１１および出力側切替部１５と入力側切替部１９との接続が異なる点である。
【００７６】
入力側切替部１９では、入力信号処理部１１から出力される画像データが分岐されずに入力ｆに入力される。従って、本実施の形態の構成で実施の形態１、２の動作を実施する際には、入力ｆと出力ｔとの間の経路ｆ１は常時オン状態となる。また、本実施の形態の構成で実施の形態３の動作を実施する際には、例えば、図６のフローチャートでステップＳ２５までは、経路ｆ１を常時オン状態とし、それ以降、消費電力を低減させるために入力信号処理部１１への給電を停止させた場合には、経路ｆ１を常時オフ状態とすれば良い。
【００７７】
このように、本実施の形態に示した構成を用いても、上記した各実施の形態と同様な効果を得ることができる。
【００７８】
【発明の効果】
この発明は以上説明したように構成されるので、以下に示すような効果を奏する。
本発明の画像記録再生装置は、記録時には、一方のフレームメモリの画像データを処理するために、他方のフレームメモリの画像データの処理が制限されることが無くなり、効率よく処理を行うことができる。また、このことから、記録時のマイクロプロセッサ等の処理時間を低減させることができるので、記録時の消費電力を低減させることができ、マイクロプロセッサの処理速度を低減させることなく、画像データを記録すると共に記録モニタ画像データを画像表示装置に表示させることができる。
【００７９】
本発明の画像記録再生装置は、再生時には、一方のフレームメモリにデータ記録再生部から画像データを読み出して書き込んでいる状態で、他方のフレームメモリ上の画像データを画像表示装置に表示させる並列処理が可能になり、一方のフレームメモリの画像データを処理するために、他方のフレームメモリの画像データの処理が制限されることが無くなり、効率よく処理を行うことができる。また、このことから、再生時のマイクロプロセッサ等の処理時間を低減させることができるので、再生時の消費電力を低減させることができ、再生させる画像データの処理によりマイクロプロセッサの処理速度を低減させることなく、再生画像を表示することができ、フレームメモリへの書き込み時間が不足により、画像表示装置に画像が正常に表示されなくなる事態を減少させることができる。
【図面の簡単な説明】
【図１】この発明の実施の形態１における画像データ記録再生装置の構成図である。
【図２】図１の画像記録再生装置の画像データ記録時の動作を示すフローチャートである。
【図３】画像記録再生装置の記録時の初期状態を示す図である。
【図４】使用者により生画像の記録が指示された場合の画像記録再生装置の状態を示す図である。
【図５】生画像データの出力を止め第２フレームメモリの画像データを出力する場合の画像記録再生装置の状態を示す図である。
【図６】図１の画像記録再生装置の画像データ再生時の動作を示すフローチャートである。
【図７】画像記録再生装置の再生時で初期状態から再生が指示された最初の状態を示す図である。
【図８】画像記録再生装置の再生時で図７の次の時点の状態を示す図である。
【図９】画像記録再生装置の再生時で図８のさらに次の時点の状態を示す図である。
【図１０】実施の形態３における実施の形態２の図９と同じ時点の画像記録再生装置の状態を示す図である。
【図１１】この発明の実施の形態４における画像データ記録再生装置の構成図である。
【符号の説明】
１  画像信号出力装置、  ２  画像記録再生装置、  ３  画像表示装置、  １１  入力信号処理部、  １２、１９  入力側切替部、  １３  第１フレームメモリ、  １４  第２フレームメモリ、  １５  出力側切替部、  １６  出力信号処理部、  １７  データ記録再生部、  １８  制御部、  ２１  入力側同期信号生成回路、  ２２  入力信号変換回路、  ３１  出力側同期信号生成回路、  ３２出力信号変換回路、  ４１  データ圧縮回路、  ４２  データ記録回路、  ４３  データ伸張回路。
【図１】
2004180081.tif 000003
【図２】
2004180081.tif 000004
【図３】
2004180081.tif 000005
【図４】
2004180081.tif 000006
【図５】
2004180081.tif 000007
【図６】
2004180081.tif 000008
【図７】
2004180081.tif 000009
【図８】
2004180081.tif 000010
【図９】
2004180081.tif 000011
【図１０】
2004180081.tif 000012
【図１１】
2004180081.tif 000013